【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】    【請求項１】支持フレームと、  横方向の折り目を中心として折り曲げ可能であり、横方向の折り目の背後にある後部と、横方向の折り目の前方にある前部とを有し、後部によって支持フレームの上方に支持される座部と、  リクライン可能な背もたれと、  背もたれをリクライニングさせるために、背もたれが連結されるリクライン機構とより成り、リクライン機構は、背もたれのリクライニング作用により、後部を、その支持フレーム上方の高さが正味で増加するように移動させ、その結果、ユーザーの体重により座部が横方向の折り目を中心として折り曲がるように、座部の後部に作動的にリンクされている椅子。    【請求項２】リクライン機構は、背もたれのリクライン作用により、後部を、その支持フレーム上方の高さが正味で増加すると共に後部の傾斜角が増加するように、移動させるように、座部の後部に作動的にリンクされている請求項１の椅子。    【請求項３】座部は可撓性材料により形成されている請求項１または２の椅子。    【請求項４】座部は可撓性を増加させる開口を備えたパネルより成る請求項３の椅子。    【請求項５】座部はパネル状であって、座部の後部へ折り曲げに対する抵抗を付与する補剛ウェブを有し、この折り曲げに対する抵抗は座部の前方端縁部の方へ向けて少なくなる請求項１乃至４の任意の１項の椅子。    【請求項６】補剛ウェブは、座部の前方端縁部から後部へ向けて折り曲げに対する抵抗が暫増するようにテイパーが付けられている請求項５の椅子。    【請求項７】座部の後部は、少なくとも部分的にリクライン機構により支持され、前部は実質的に無支持である請求項１乃至６のうち任意の１項の椅子。    【請求項８】リクライン機構は、以下の４つの要素より成る四棒リンクより成り、それらは、支持フレームの一部を形成する主支持体と、座部、またはそれに対して座部が選択的に移動可能な案内手段よりームの一部を形成成る第２のリンクと、主支持体と、第２のリンクとの間を延びる前方支持リンクと、主支持体を通る駆動軸を中心として枢動可能な駆動リンクとより成り、駆動リンクは案内手段に連結され、また背もたれの後方へのリクライン作用により駆動軸を中心として駆動されるように作動的にリンクされており、背もたれの後方へのリクライン作用により第２のリンクの高さが正味で増加する請求項１乃至７のうち任意の１項の椅子。    【請求項９】椅子の両側に２つのかかる四棒リンク機構が設けられている請求項８の椅子。    【請求項１０】主支持体は高さを選択的に調節できる請求項８または９の椅子。    【請求項１１】座部の位置は、前方への延伸位置と、後退位置との間で調節可能であり、横方向の折り目の位置は、座席の深さ位置に応じて可変である請求項１乃至７のうち任意の請求項の椅子。    【請求項１２】リクライン機構は少なくとも１つの案内手段を有し、座部は延伸位置と、後退位置との間で案内手段に対して摺動可能であり、案内手段はそれを中心として座部が折れ曲がる固定部を有する請求項１１の椅子。    【請求項１３】案内手段は上向きで凸状の前部を有する上面を備え、曲率の変わる部分が座部の横方向折り目位置である請求項１２の椅子。    【請求項１４】リクライン機構は、以下の４つ���要素より成る四棒リンクより成り、それらは、支持フレームの一部を形成する主支持体と、案内手段と、主支持体と、案内手段との間を延びる前方支持リンクと、主支持体を通る駆動軸を中心として枢動可能な駆動リンクとより成り、駆動リンクは案内手段に連結され、また背もたれの後方へのリクライン作用により駆動軸を中心として駆動されるように作動的にリンクされており、背もたれの後方へのリクライン作用により第２のリンクの高さが正味で増加する請求項１２または１３の椅子。    【請求項１５】椅子の両側に２つのかかる四棒リンク機構が設けられている請求項１４の椅子。    【請求項１６】背もたれは、リクライン軸の所で主支持体に枢動自在に連結されている請求項１４または１５の椅子。    【請求項１７】リクライン軸は座部の下方に位置する請求項１６の椅子。    【請求項１８】リクライン軸は、椅子のユーザーの坐骨突起部の下方に位置する請求項１７の椅子。    【請求項１９】背もたれは、リクライン偏倚装置によりリクラインしないように偏倚されている請求項１４乃至１８のうちの任意の１項に椅子。    【請求項２０】リクライン偏倚装置は１またはそれ以上のばねより成る請求項１９の椅子。    【請求項２１】２つの背もたれ延長アームは、背もたれから実質的に剛性的に延長し、背もたれを主支持体に枢動自在に連結し、１またはそれ以上のばねが背もたれ延長アームの一方または両方により保持され、これらのばねが主支持体に対して作用する請求項２０の椅子。    【請求項２２】リクライン偏倚装置の偏倚力は調節可能である請求項１９乃至２０のうち任意の１項の椅子。    【請求項２３】背もたれは柔軟性フレームより成り、この柔軟性フレームは、柔軟性を有し、または少なくともユーザーの腰部に対応する部分で柔軟性を有する請求項１乃至１１のうち任意の１項の椅子。    【請求項２４】背もたれの柔軟性は調節自在である請求項２３の椅子。    【請求項２５】座部は対向する側部と、両側部間の中央部とより成り、座部は中央部が自由な懸垂状態で無支持となるように対向する側部でリクライン機構により支持されている請求項１の椅子。    【請求項２６】リクライン機構は、 座部の対向する側部に作動的に連結された一対の離隔したレールと、 各々が対応するレールから支持フレームへ延び、支持フレームと、対応するレールとに回転自在に取り付けられた一対のリンクとより成る請求項２５の椅子。    【請求項２７】レールを座部に固定し、レールに沿う座部の選択的な位置決め及びロッキングを可能にする座席深さ調節機構をさらに備えた請求項２６の椅子。    【請求項２８】リクライン機構は、 座部に作動的に連結された一対のレールと、 各々が対応するレールから支持フレームへ延び、支持フレームと、対応するレールとに回転自在に取り付けられた一対のリンクとより成り、背もたれがリクラインされると一対のリンクにより支持フレームに対する水平方向の座部全体の移動が容易になる請求項２５の椅子。    【請求項２９】リクライン機構は、背もたれのリクライニング作用により、座部全体が支持フレームに対して水平方向に移動するように座部の後部に作動的にリンクされている請求項１の椅子。    【請求項３０】座部の前部の少なくとも一��は柔軟性を有する請求項１の椅子。    【請求項３１】座部の前部の剛性は座部の後部の剛性とは異なる請求項１の椅子。    【請求項３２】座部の前部は下向きの前方端縁部を有する請求項１の椅子。    【請求項３３】座部は複数の横方向折り目位置を有する移行領域を有し、ユーザーが座部上に座ると、背もたれのリクライニング時にユーザーの脚部の重量により座部の前部が複数の横方向折り曲げ位置を中心として下方へ折り曲がる請求項１の椅子。    【請求項３４】座部の前部は、支持フレームの前方において下方からは無支持で水平方向に延びるように横方向の折り目により座部の後部から片持ち支持される請求項１の椅子。    【請求項３５】座部の後部は、座部が支持フレームに対して前方延伸位置と、後方後退位置との間で調節可能であるように座席深さ調節機構により作動的に支持される請求項１の椅子。    【請求項３６】リクライン機構は、座部を支持フレームから支持する複数の支持体を有し、背もたれのリクライニング作用により、座部が支持フレームに対して移動し、座部の移動は水平方向成分と、垂直方向成分との移動より成り、垂直方向成分の移動により支持フレームの上方における座部の後部の高さが正味で増加する請求項１の椅子。    【請求項３７】リクライン機構は、座部を支持し、背もたれがリクライニングすると、座部を支持フレームに対して移動させるように構成された複数の部材を有し、前記部材は背もたれがリクライニングすると座部を支持フレーム上方の離隔位置で支持する請求項１の椅子。    【請求項３８】ユーザーが座っていない時、背もたれがリクライニングすると、座部全体が支持フレーム上方の正味の高さが増加するように移動し、 ユーザーが座っている時、背もたれがリクライニングすると、座部の後部が支持フレーム上方の正味の高さが増加するように移動する結果、横方向の折り目を中心とする前部の下方への折れ曲がりがユーザーの脚部の重量により惹き起されるように構成された請求項１の椅子。    【請求項３９】ユーザーが座っていてもいなくても、背もたれがリクライニングすると、座部全体が水平方向にさらに移動する請求項３８の椅子。    【請求項４０】背もたれがリクライニングすると、座部の前部が下方へ折れ曲がることにより該前部によりユーザーの脚部の下側に印加される圧力の大きさが制限される請求項１の椅子。    【請求項４１】背もたれがリクライニングすると、支持フレーム上方の座部全体の正味の高さが増加するが、座部は全体的に支持フレームに対して前方へ傾斜しない請求項１の椅子。